(57)【要約】【課題】オブジェクトの位置および範囲を記述するメタデータが、全て伝送されなかったときでも、メタデータを補間できるデジタル放送受信機を提供すること。【解決手段】受信したトランスポートストリームから取得したメタデータと再生時刻情報とをメタデータ保持部に書き込む受信メタデータ取得部と、再生する映像コンテンツの再生時刻を取得し、該再生時刻に対応するメタデータを、メタデータ保持部から取得する再生メタデータ取得部と、再生メタデータ取得部がメタデータを取得できなかったときは、メタデータ保持部が保持する複数の再生時刻情報と、該再生時刻情報各々に対応するメタデータとに基づく補間処理により、メタデータを算出するメタデータ補間部と、再生メタデータ取得部が取得したメタデータ、または、メタデータ補間部が算出したメタデータと、再生する映像コンテンツとに基づき、再生映像を生成する同期再生部とを具備する。【選択図】図１
2010193209.tif 000002
【特許請求の範囲】
【請求項１】
映像コンテンツと、前記映像コンテンツ中のオブジェクトの位置および範囲を示すメタデータとが多重されたトランスポートストリームデータを受信する受信部と、
前記メタデータと、該メタデータを再生する時刻を表す再生時刻情報とを対応付けて記憶するメタデータ保持部と、
前記受信したトランスポートストリームデータから前記メタデータと該メタデータの再生時刻情報とを取得し、該メタデータと該再生時刻情報とを対応付けて前記メタデータ保持部に書き込む受信メタデータ取得部と、
再生する映像コンテンツの再生時刻を取得し、該再生時刻に対応するメタデータを、前記メタデータ保持部から取得する再生メタデータ取得部と、
前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、
前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部と
を備え
前記メタデータ補間部は、前記メタデータ保持部が保持する複数の再生時刻情報と、該再生時刻情報各々に対応するメタデータとに基づく外挿処理により、前記再生する映像コンテンツの再生時刻情報に対応するメタデータを算出すること、
を特徴とするデジタル放送受信機。
【請求項２】
映像コンテンツと、前記映像コンテンツ中のオブジェクトの位置および範囲を示すメタデータとが多重されたトランスポートストリームデータを受信する受信部と、
前記メタデータと、該メタデータを再生する時刻を表す再生時刻情報とを対応付けて記憶するメタデータ保持部と、
前記受信したトランスポートストリームデータから前記メタデータと該メタデータの再生時刻情報とを取得し、該メタデータと該再生時刻情報とを対応付けて前記メタデータ保持部に書き込む受信メタデータ取得部と、
再生する映像コンテンツの再生時刻を取得し、該再生時刻に対応するメタデータを、前記メタデータ保持部から取得する再生メタデータ取得部と、
前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、
前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部と、
映像コンテンツを蓄積して、映像コンテンツの再生タイミングを遅らせる映像コンテンツ蓄積部と
を備え、
前記メタデータ補間部は、前記メタデータ保持部が保持する複数の再生時刻情報と、該再生時刻情報各々に対応するメタデータとに基づく内挿処理により、前記再生する映像コンテンツの再生時刻情報に対応するメタデータを算出すること、
を特徴とするデジタル放送受信機。
【請求項３】
映像コンテンツと、前記映像コンテンツ中のオブジェクトの位置および範囲を示すメタデータとが多重されたトランスポートストリームデータを受信する受信部と、
前記メタデータと、該メタデータを再生する時刻を表す再生時刻情報とを対応付けて記憶するメタデータ保持部と、
前記受信したトランスポートストリームデータから前記メタデータと該メタデータの再生時刻情報とを取得し、該メタデータと該再生時刻情報とを対応付けて前記メタデータ保持部に書き込む受信メタデータ取得部と、
再生する映像コンテンツの再生時刻を取得し、該再生時刻に対応するメタデータを、前記メタデータ保持部から取得する再生メタデータ取得部と、
前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、
前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部と、
を備え、
前記メタデータ補間部は、前記メタデータ保持部が保持する再生時刻情報とメタデータとに基づく補間処理により算出したメタデータと、前記再生する映像コンテンツによる映像に対して特徴量抽出処理をすることで算出したメタデータとの平均を算出することで、前記再生する映像コンテンツの再生時刻情報に対応するメタデータを算出すること、
を特徴とするデジタル放送受信機。
【発明の詳細な説明】
【技術分野】
【０００１】
本発明は、デジタル放送受信機、特にメタデータを利用するデジタル放送受信機に関する。
【背景技術】
【０００２】
テレビジョン放送のデジタル化が進み、番組検索、番組推薦、ダイジェスト再生など様々な放送サービスの開発が行われている。これらのサービスを実現するために、放送コンテンツを効率的に管理することが必要であり、そのために放送コンテンツの内容を記述したメタデータを予め準備し、利用する方法が一般的である。
【０００３】
ＭＰＥＧ（Ｍｏｖｉｎｇ  Ｐｉｃｔｕｒｅ  Ｅｘｐｅｒｔｓ  Ｇｒｏｕｐ）７（非特許文献１）やＴＶ  Ａｎｙｔｉｍｅ（非特許文献２）では、メタデータの種類として、映像に映っているオブジェクト（人物や物体など）のＩＤ、位置および範囲などが規定されている。また、データ放送サービスへのメタデータの利用では、オブジェクトのＩＤ、名称、位置や範囲等を記述した独自形式のメタデータを、オブジェクトと連動してコンテンツ視聴における視認性の改善を行う映像トリミングの装置などもある。また、これらのメタデータを使用することにより、画面上のオブジェクトにタグ表示することも可能である。
【０００４】
一方、日本ではＢＳ（Ｂｒｏａｄｃａｓｔ  Ｓａｔｅｌｌｉｔｅ；放送衛星）デジタル放送、地上波デジタル放送などのデジタル化されたテレビジョン放送が開始されており、これらの放送のデジタル放送受信機も幅広く普及している。デジタル化されたテレビジョン放送において、例えば、地上波デジタル放送の場合、１チャンネル分１６．８６Ｍｂｐｓのうち、映像・音声・データ放送で約１６Ｍｂｐｓを使用しており、空いている帯域は非常に狭く、伝送可能なメタデータの容量は限られている。
【０００５】
このため、空いている帯域に加えて、ＴＳ（Ｔｒａｎｓｐｏｒｔ  Ｓｔｒｅａｍ；トランスポートストリーム）パケットの未使用部分を使用することが考えられるが、同様の問題が残る。また、テレビジョン放送を受信するデジタル放送受信機のハードウェア性能を考慮しても、伝送可能なメタデータの容量は限られてしまう。また、受信状況によっては、デジタル放送受信機が、放送局から送信されたメタデータを全て受信できるとは限らず、受信に失敗してメタデータに欠落が発生することもある。
【０００６】
そこで、特許文献１のコンテンツ受信再生蓄積装置では、現在再生セグメントに続いて再生されるべき次期再生セグメントの再生開始時間を判別し、再生開始時間が到来するまでに次期再生セグメントに対応付けられたメタデータを受信したか否かを判別し、受信しなかったと判別したときは、現在再生セグメントに対応付けられたメタデータの一部を流用して、次期再生セグメントに対応付けられる補間メタデータを生成している。これにより、放送局において、メタデータを間引いて送出したり、コンテンツ受信再生蓄積装置において、一部のメタデータを受信できなかったりなど、全てのメタデータが伝送されなかったときでも、メタデータを補間できる。
【先行技術文献】
【特許文献】
【０００７】
【特許文献１】特開２００８−１８７３７１号公報
【非特許文献】
【０００８】
【非特許文献１】ＩＳＯ／ＩＥＣ  １５９３８−５：２００３、“Ｉｎｆｏｒｍａｔｉｏｎ  Ｔｅｃｈｎｏｌｏｇｙ  −−  Ｍｕｌｔｉｍｅｄｉａ  ｃｏｎｔｅｎｔ  ｄｅｓｃｒｉｐｔｉｏｎ  ｉｎｔｅｒｆａｃｅ  −  Ｐａｒｔ  ５：Ｍｕｌｔｉｍｅｄｉａ  Ｄｅｓｃｒｉｐｔｉｏｎ  Ｓｃｈｅｍｅｓ”
【非特許文献２】ＥＢＵ／ＥＴＳＩ，ＥＴＳＩ  ＴＳ  １０２  ８２２−３−１  ｖ１．４．１（２００７−１１）、“Ｂｒｏａｄｃａｓｔ  ａｎｄ  Ｏｎ−ｌｉｎｅ  Ｓｅｒｖｉｃｅｓ：  Ｓｅａｒｃｈ，  ｓｅｌｅｃｔ，  ａｎｄ  ｒｉｇｈｔｆｕｌ  ｕｓｅ  ｏｆ  ｃｏｎｔｅｎｔ  ｏｎ  ｐｅｒｓｏｎａｌ  ｓｔｏｒａｇｅ  ｓｙｓｔｅｍｓ  （“ＴＶ−Ａｎｙｔｉｍｅ”）；  Ｐａｒｔ  ３：  Ｍｅｔａｄａｔａ；  Ｓｕｂ−ｐａｒｔ  １：  Ｐｈａｓｅ  １  −  Ｍｅｔａｄａｔａ  ｓｃｈｅｍｅｓ”
【発明の概要】
【発明が解決しようとする課題】
【０００９】
しかしながら、特許文献１のコンテンツ受信再生蓄積装置では、対象とするメタデータが、ＡＲＩＢ  ＳＴＤ−Ｂ３８「サーバ型放送における符号化、伝送及び蓄積制御方式」において規定されているプログラムリファレンス情報、タイムベースリファレンス情報、デスクリプション情報、セグメントロケーター情報、キーフレームロケーター情報などの複数のセグメントにわたって同一の値となる場合がある。このため、映像のフレーム毎に変化するオブジェクトの位置や範囲を記述するメタデータに適用することはできないという問題がある。
【００１０】
本発明は、このような事情に鑑みてなされたもので、その目的は、オブジェクトの位置および範囲を記述するメタデータが、全て伝送されなかったときでも、メタデータを補間できるデジタル放送受信機を提供することにある。
【課題を解決するための手段】
【００１１】
（１）この発明は上述した課題を解決するためになされたもので、本発明のデジタル放送受信機は、映像コンテンツと、前記映像コンテンツ中のオブジェクトの位置および範囲を示すメタデータとが多重されたトランスポートストリームデータを受信する受信部と、前記メタデータと、該メタデータを再生する時刻を表す再生時刻情報とを対応付けて記憶するメタデータ保持部と、前記受信したトランスポートストリームデータから前記メタデータと該メタデータの再生時刻情報とを取得し、該メタデータと該再生時刻情報とを対応付けて前記メタデータ保持部に書き込む受信メタデータ取得部と、再生する映像コンテンツの再生時刻を取得し、該再生時刻に対応するメタデータを、前記メタデータ保持部から取得する再生メタデータ取得部と、前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部とを備え、前記メタデータ補間部は、前記メタデータ保持部が保持する複数の再生時刻情報と、該再生時刻情報各々に対応するメタデータとに基づく外挿処理により、前記再生する映像コンテンツの再生時刻情報に対応するメタデータを算出すること、を特徴とする。
【００１２】
（２）また、本発明のデジタル放送受信機は、映像コンテンツと、前記映像コンテンツ中のオブジェクトの位置および範囲を示すメタデータとが多重されたトランスポートストリームを受信する受信部と、前記メタデータと、該メタデータを再生する時刻を表す再生時刻情報とを対応付けて記憶するメタデータ保持部と、前記受信したトランスポートストリームから前記メタデータと該メタデータの再生時刻情報とを取得し、該メタデータと該再生時刻情報とを対応付けて前記メタデータ保持部に書き込む受信メタデータ取得部と、再生する映像コンテンツの再生時刻を取得し、該再生時刻に対応するメタデータを、前記メタデータ保持部から取得する再生メタデータ取得部と、前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部と、映像コンテンツを蓄積して、映像コンテンツの再生タイミングを遅らせる映像コンテンツ蓄積部と、を備え、前記メタデータ補間部は、前記メタデータ保持部が保持する複数の再生時刻情報と、該再生時刻情報各々に対応するメタデータとに基づく内挿処理により、前記再生する映像コンテンツの再生時刻情報に対応するメタデータを算出すること、を特徴とする。
【００１３】
（３）また、本発明のデジタル放送受信機は、映像コンテンツと、前記映像コンテンツ中のオブジェクトの位置および範囲を示すメタデータとが多重されたトランスポートストリームを受信する受信部と、前記メタデータと、該メタデータを再生する時刻を表す再生時刻情報とを対応付けて記憶するメタデータ保持部と、前記受信したトランスポートストリームから前記メタデータと該メタデータの再生時刻情報とを取得し、該メタデータと該再生時刻情報とを対応付けて前記メタデータ保持部に書き込む受信メタデータ取得部と、再生する映像コンテンツの再生時刻を取得し、該再生時刻に対応するメタデータを、前記メタデータ保持部から取得する再生メタデータ取得部と、前記再生メタデータ取得部が前記メタデータ保持部からメタデータを取得できなかったときは、前記メタデータ保持部が保持する複数の再生時刻情報と、該再生時刻情報各々に対応するメタデータとに基づく補間処理により、前記再生する映像コンテンツの再生時刻に対応するメタデータを算出するメタデータ補間部と、前記再生メタデータ取得部が取得したメタデータ、または、前記メタデータ補間部が算出したメタデータであって、前記再生する映像コンテンツの再生時刻情報に対応するメタデータと、前記再生する映像コンテンツとに基づき、再生映像を生成する同期再生部と、を備え、前記メタデータ補間部は、前記メタデータ保持部が保持する再生時刻情報とメタデータとに基づく補間処理により算出したメタデータと、前記再生する映像コンテンツによる映像に対して特徴量抽出処理をすることで算出したメタデータとの平均を算出することで、前記再生する映像コンテンツの再生時刻情報に対応するメタデータを算出すること、を特徴とする。
【発明の効果】
【００１４】
この発明によれば、オブジェクトの位置および範囲を記述するメタデータが、全て伝送されなかったときでも、メタデータを補間できる。
【図面の簡単な説明】
【００１５】
【図１】この発明の第１の実施形態によるデジタル放送受信機１０の構成を示す概略ブロック図である。
【図２】同実施形態における同期再生部１８が生成した再生映像の例を示す図である。
【図３】ＭＰＥＧ２トランスポートストリームを説明する図である。
【図４】同実施形態におけるメタデータ保持部１５の記憶内容例を示す図である。
【図５】同実施形態における再生メタデータ取得部１６の構成を示す概略ブロック図である。
【図６】同実施形態におけるメタデータ補間部１７の構成を示す概略ブロック図である。
【図７】同実施形態におけるデジタル放送受信機１０ａの動作を説明するフローチャートである。
【図８】この発明の第２の実施形態によるデジタル放送受信機の構成を示す概略ブロック図である。
【図９】同実施形態におけるメタデータ補間部１７ａの構成を示す概略ブロック図である。
【図１０】同実施形態におけるデジタル受像装置１０ａの動作を説明するフローチャートである。
【図１１】この発明の第３の実施形態によるデジタル放送受信機１０ｂの構成を示す概略ブロック図である。
【図１２】同実施形態におけるメタデータ補間部１７ｂの構成を示す概略ブロック図である。
【発明を実施するための形態】
【００１６】
［第１の実施形態］
以下、図面を参照して、本発明の第１の実施形態について説明する。本実施形態におけるデジタル放送受信機１０は、地上波を用いたデジタル化されたテレビジョン放送である地上波デジタル放送を受信するデジタル放送受信機であるが、本発明は、ＢＳデジタル放送、デジタル化されたケーブルテレビ放送、インターネットなどのネットワークを介して配信されるＩＰ（Ｉｎｔｅｒｎｅｔ  Ｐｒｏｔｏｃｏｌ）テレビ放送などを受信するデジタル放送受信機にも適用可能である。
【００１７】
図１は、この発明の第１の実施形態によるデジタル放送受信機１０の構成を示す概略ブロック図である。デジタル放送受信機１０は、受信部１１、分離部１２、コンテンツ再生部１３、受信メタデータ取得部１４、メタデータ保持部１５、再生メタデータ取得部１６、メタデータ補間部１７、同期再生部１８、表示部１９を具備する。受信部１１は、映像コンテンツと、映像コンテンツ中のオブジェクトの位置および範囲を示すメタデータとが多重されたＭＰＥＧ２トランスポートストリームを受信する。このＭＰＥＧ２トランスポートストリームは、テレビ局から送信されたものであるが、詳細は後述する。
【００１８】
分離部１２は、受信部１１が受信したＭＰＥＧ２トランスポートストリームに多重されているメタデータと、映像コンテンツとを分離する。より具体的には、分離部１２は、ＭＰＥＧ２トランスポートストリームを構成するＴＳ（Ｔｒａｎｓｐｏｒｔ  Ｓｔｒｅａｍ）パケットのヘッダに記述されているパケット識別子（ＰＩＤ）の値により、各ＴＳパケットがいずれのデータを格納したエレメンタリストリームのＴＳパケットであるかを判定し、メタデータのＴＳパケットを連結したエレメンタリストリームと、映像コンテンツのＴＳパケットを連結したエレメンタリストリームとに分離する。
【００１９】
コンテンツ再生部１３は、分離部１２が分離した映像コンテンツのエレメンタリームストリームをデコードする。また、コンテンツ再生部１３は、ＭＰＥＧ２の規格においてＳＴＣ（Ｓｙｓｔｅｍ  Ｔｉｍｅ  Ｃｌｏｃｋ）と呼ばれる２７ＭＨｚで動作するクロックカウンタを備える。コンテンツ再生部１３は、映像コンテンツのエレメンタリストリームのＴＳパケットに記述されているＰＣＲ（Ｐｒｏｇｒａｍ  Ｃｌｏｃｋ  Ｒｅｆｅｒｅｎｃｅ；プログラムクロックリファレンス）に、このＳＴＣの値を同期させる。また、コンテンツ再生部１３は、映像コンテンツのＰＥＳ（Ｐａｃｋｅｔｉｚｅｄ  Ｅｌｅｍｅｎｔａｒｙ  Ｓｔｒｅａｍ）パケットに記述されているＰＴＳ（Ｐｒｅｓｅｎｔａｔｉｏｎ  Ｔｉｍｅ  Ｓｔａｍｐ；再生時刻情報）の値と、ＳＴＣの値とが一致したときに、該当するＰＴＳが記述されていたＰＥＳパケットに格納されていた映像コンテンツのフレームを表示させ、音声を出力する。なお、再生時刻情報は、３３ビットからなる９０ＫＨｚのカウンタであり、ＳＴＣは、上位３３ビットが９０ＫＨｚのカウンタであり、さらに下位８ビットが２７ＭＨｚのカウンタである。
【００２０】
受信メタデータ取得部１４は、分離部１２が分離したメタデータのエレメンタリストリームからメタデータとメタデータの再生時刻情報とを取得し、これらのメタデータと再生時刻情報とを対応付けて、後述するメタデータ保持部１５に書き込む。メタデータ保持部１５は、メタデータと、メタデータを再生する時刻を表す再生時刻情報とを対応付けて記憶する。なお、メタデータ保持部１５は、ハードディスク装置や光磁気ディスク装置、フラッシュメモリ等の不揮発性のメモリ、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００２１】
再生メタデータ取得部１６は、再生する映像コンテンツの再生時刻情報、すなわち映像コンテンツの次のフレームの再生時刻情報を取得し、該再生時刻情報に対応するメタデータを、メタデータ保持部１５から取得する。また、再生メタデータ取得部１６は、前回処理、すなわち一つ前のフレームに関する処理において取得を試みたメタデータのオブジェクトＩＤを記憶しており、記憶していたオブジェクトＩＤに該当するメタデータがメタデータ保持部１５に無いときは、そのオブジェクトＩＤと、取得した再生時刻情報とを、メタデータ補間部１７に出力する。なお、再生メタデータ取得部１６の詳細は、後述する。
【００２２】
メタデータ補間部１７は、再生メタデータ取得部１６がメタデータ保持部１５からメタデータを取得できなかったときは、メタデータ保持部１５が保持する複数の再生時刻情報と、該再生時刻情報各々に対応するメタデータとに基づく補間処理により、再生する映像コンテンツの再生時刻情報に対応するメタデータを算出する。なお、メタデータ補間部１７は、再生メタデータ取得部１６から再生時刻情報とオブジェクトＩＤとの入力を受けると、入力されたオブジェクトＩＤのメタデータを、メタデータ保持部１５から取得できなかったと判定し、該オブジェクトＩＤのメタデータの補間処理を行う。なお、メタデータ補間部１７の詳細は、後述する。
【００２３】
同期再生部１８は、再生メタデータ取得部１６が取得したメタデータ、または、メタデータ補間部１８が算出したメタデータであって、再生する映像コンテンツの再生時刻情報に対応するメタデータと、再生する映像コンテンツをコンテンツ再生部１３が再生した結果とに基づき、再生映像を生成する。例えば、同期再生部１８は、メタデータに基づき、該メタデータのオブジェクトを表すタグを含む、再生映像を生成する。
表示部１９は、液晶パネル、有機ＥＬ（Organic Electro-Luminescence）パネルなどの表示デバイスであり、同期再生部１８が生成した再生映像を表示する。
【００２４】
図２は、本実施形態における同期再生部１８が生成した再生映像の例を示す図である。図２の例では、再生映像Ｇは、映像コンテンツを再生した映像に、メタデータに基づき生成されたオブジェクトの領域を示す矩形Ｒ１、Ｒ２と、各オブジェクトのオブジェクトＩＤを示す文字列Ｃ１とＣ２とが加えられている。
【００２５】
図３は、ＭＰＥＧ２トランスポートストリームを説明する図である。図３に示すようにＭＰＥＧ２トランスポートストリームＳＴ１は、ＴＳパケットと呼ばれるパケットが連結されている。個々のＴＳパケットは、パケット識別子を含むパケットヘッダを備え、続いて、アダプテーションフィールドおよびペイロード、もしくは、アダプテーションフィールドとペイロードとのどちらか一方を備える。前述のプログラムクロックリファレンスは、アダプテーションフィールドに格納される。
【００２６】
ＭＰＥＧ２トランスポートストリームを構成するＴＳパケットのうち、同一のパケット識別子のＴＳパケットのみを連結したものをエレメンタリストリームと呼ぶ。本実施形態では、このエレメンタリストリームを構成する各ＴＳパケットのペイロードを連結すると、メタデータＰＥＳパケットＳＴ２、ビデオＰＥＳパケットＳＴ３、オーディオＰＥＳパケットＳＴ４のいずれかとなる。これらのうち、ビデオＰＥＳパケットＳＴ３、オーディオＰＥＳパケットＳＴ４により、映像コンテンツは構成される。
【００２７】
さらにメタデータＰＥＳパケットＳＴ２のペイロード部分には、再生時刻情報、オブジェクトＩＤ、該オブジェクトの位置を表す中心座標、該オブジェクトの範囲を表す幅および高さを格納している。再生時刻情報一つに対して、オブジェクトＩＤと中心座標と幅と高さとの組み合わせを複数格納していてもよいし、再生時刻情報一つに対して、オブジェクトＩＤと中心座標と幅と高さとの組み合わせを一つずつ格納していてもよい。ここで、中心座標は、例えば、映像の左下を原点とし、横軸をＸ座標、縦軸をＹ座標とし、画素を単位とする座標系で表されるオブジェクトの中心座標である。また、幅と高さとは、オブジェクトの範囲の幅と高さとを、画素数で表した値である。
【００２８】
なお、本実施形態のメタデータでは、オブジェクトの位置と範囲を、その中心座標と幅と高さを用いて表すとして説明したが、オブジェクトの左上の座標と右下の座標とを用いて表すようにしてもよいし、オブジェクトの左上の座標と幅と高さとを用いて表すようにしてもよい。また、本実施形態では、オブジェクトは矩形の領域であるとして説明したが、ポリゴン（多角形）であるとして、オブジェクトの位置と範囲を、ポリゴンの各頂点の座標などを用いて表すようにしてもよい。
また、メタデータＰＥＳパケットＳＴ２のペイロード部分に格納されるメタデータの形式は、ＸＭＬ形式などのマークアップランゲージであってもよいし、バイナリデータの羅列などであってもよい。
【００２９】
図４は、本実施形態におけるメタデータ保持部１５の記憶内容例を示す図である。メタデータ保持部１５は、再生時刻情報とオブジェクトＩＤと中心座標（Ｘ）と中心座標（Ｙ）と幅と高さとを項目とする複数のレコードからなるテーブルに、１つのレコードに１つのメタデータを記憶している。図４に示す例では、１つ目のレコードに、再生時刻情報「０」、オブジェクトＩＤ「１０」、中心座標（Ｘ）「１２０」、中心座標（Ｙ）「３８０」、幅「２２」、高さ「４０」を、すなわち再生時刻が「０」のときのオブジェクトＩＤ「１０」のメタデータを記憶している。以下、同様に、２つ目のレコードに、再生時刻情報「０」、オブジェクトＩＤ「１１」、中心座標（Ｘ）「４７０」、中心座標（Ｙ）「２２０」、幅「１７」、高さ「３３」を記憶し、３つ目のレコードに、再生時刻情報「３０００」、オブジェクトＩＤ「１０」、中心座標（Ｘ）「１２７」、中心座標（Ｙ）「３７２」、幅「２０」、高さ「３７」を記憶し、４つ目のレコードに、再生時刻情報「３０００」、オブジェクトＩＤ「１１」、中心座標（Ｘ）「４７０」、中心座標「２２０」、幅「１７」、高さ「３３」を記憶している。
【００３０】
図５は、本実施形態における再生メタデータ取得部１６の構成を示す概略ブロック図である。再生メタデータ取得部１６は、再生時刻取得部１６１、メタデータ読出部１６２、オブジェクトＩＤ記憶部１６３を備える。再生時刻取得部１６１は、コンテンツ再生部１３が入力された映像コンテンツから取得し、出力した次に表示するフレームのＰＴＳの値を、再生する映像コンテンツの再生時刻情報として取得する。
【００３１】
なお、本実施形態では、次に表示するフレームの再生時刻情報は、コンテンツ再生部１３が入力された映像コンテンツ中のＰＴＳの値を出力するとして説明したが、再生時刻取得部１６１は、過去のフレームの再生時刻情報とフレームレートとに基づき算出してもよいし、コンテンツ再生部１３が備えるＳＴＣの値から、該値に１フレーム分の時間を加えた値までの範囲に該当するものを全て、次に表示するフレームの再生時刻情報としてもよい。
【００３２】
メタデータ読出部１６２は、再生時刻取得部１６１が取得した再生時刻情報に対応付けてメタデータ保持部１５が記憶するメタデータ、すなわちオブジェクトＩＤ、中心座標、幅、高さを読み出す。次に、メタデータ読出部１６２は、読み出したオブジェクトＩＤ、中心座標、幅、および高さを、同期再生部１８に出力する。さらに、メタデータ読出部１６２は、オブジェクトＩＤ記憶部１６３が記憶する全てのオブジェクトＩＤを読み出し、この読みだされた全てのオブジェクトＩＤと先にメタデータ保持部１５から読み出したオブジェクトＩＤとを比較する。メタデータ読出部１６２は、この比較により、オブジェクトＩＤ記憶部１６３から読み出したオブジェクトＩＤの中にはあるが、先にメタデータ保持部１５から読み出したオブジェクトＩＤの中にはないオブジェクトＩＤを検出したときは、該当するオブジェクトＩＤを再生時刻取得部１６１が取得した再生時刻情報とともに、メタデータ補間部１７に出力する。
【００３３】
また、メタデータ読出部１６２は、先の比較とメタデータ補間部１７への出力とを行った後、オブジェクトＩＤ記憶部１６３が記憶するオブジェクトＩＤが、先にメタデータ保持部１５から読み出したオブジェクトＩＤと、メタデータ補間部１７に再生時刻情報とともに出力したオブジェクトＩＤとからなるリストになるように、オブジェクトＩＤ記憶部１６３の記憶内容を更新する。したがって、オブジェクトＩＤ記憶部１６３は、メタデータ読出部１６２がその記憶内容を読み出すときは、メタデータ保持部１５が記憶する、その前のフレームに対応するオブジェクトＩＤと一致している。
【００３４】
なお、本実施形態では、メタデータ読出部１６２は、オブジェクトＩＤ記憶部１６３が記憶する全てのオブジェクトＩＤを読み出し、この読みだされた全てのオブジェクトＩＤと先にメタデータ保持部１５から読み出したオブジェクトＩＤとを比較して、メタデータ補間部１７に出力するオブジェクトＩＤを決定するとして説明した。しかし、メタデータの伝送方法によっては、例えば、同じ再生時刻情報のメタデータ全体に誤り検出符号を付与しておくなど、同じ再生時刻情報のメタデータのうち、一部が受信できずに欠落することがないことを保証していることがある。このような場合は、メタデータ読出部１６２は、再生時刻取得部１６１が取得した再生時刻情報に対応付けてメタデータ保持部１５が記憶するメタデータがあるか否かを判定し、無いと判定したときに、オブジェクトＩＤ記憶部１６３が記憶する全てのオブジェクトＩＤを読み出し、これらをメタデータ補間部１７に出力するようにしてもよい。
【００３５】
図６は、本実施形態におけるメタデータ補間部１７の構成を示す概略ブロック図である。メタデータ補間部１７は、使用メタデータリスト決定部１７１、使用メタデータリスト読出部１７２、メタデータ補間処理部１７３を備える。使用メタデータリスト決定部１７１は、メタデータ読出部１６２から再生時刻情報と、オブジェクトＩＤとを受けると、メタデータ補間処理部１７３における補間処理に用いるメタデータのリストを生成する。本実施形態では、メタデータ補間処理部１７３は、外挿による補間処理を行う。このため、使用メタデータリスト決定部１７１は、映像コンテンツのフレームレートに基づき、受けた再生時刻情報の１フレーム前の再生時刻情報および２フレーム前の再生時刻情報を算出し、受けたオブジェクトＩＤ各々のこれらの再生時刻情報のメタデータの取得を、使用メタデータリスト読出部１７２に指示する。
【００３６】
使用メタデータリスト読出部１７２は、使用メタデータリスト決定部１７１から取得を指示されたメタデータをメタデータ保持部１６から読み出す。メタデータ補間処理部１７３は、使用メタデータリスト読出部１７２が読み出したメタデータを用いて、（１）式にしめすような外挿による補間処理を行い、メタデータ読出部１６２から受けた再生時刻情報とオブジェクトＩＤとのメタデータを生成する。
Ｍ（ｎ）＝２Ｍ（ｎ−１）−Ｍ（ｎ−２）・・・（１）
ただし、Ｍ（ｎ）は、ｎフレーム目のメタデータの値を表す。Ｍ（ｎ−１）は、１フレーム前のメタデータの値であり、Ｍ（ｎ−２）は、２フレーム前のメタデータの値である。
【００３７】
なお、本実施形態では、使用メタデータリスト決定部１７１が１フレーム前と２フレーム前のメタデータの取得を使用メタデータリスト取得部１７２に指示するため、メタデータ補間処理部１７３が行う外挿は、（１）式に示すような演算とした。しかし、これに限らず、使用メタデータリスト決定部１７１が、メタデータ保持部１５が記憶するメタデータを参照して、ｐフレーム前とｑフレーム前のメタデータの取得を使用メタデータリスト取得部１７２に指示するようにし、メタデータ補間処理部１７３が行う外挿が、（２）式に示すような演算であってもよい。
Ｍ（ｎ）＝（ｑ・Ｍ（ｎ−ｑ）−ｐ・Ｍ（ｎ−ｐ））／（ｑ−ｐ）・・・（２）
さらに、メタデータ補間処理部１７３が行う補間は、（１）式、（２）式に示すような線形外挿ではなく、例えば、使用メタデータリスト決定部１７１が３つのメタデータの取得を指示し、２次曲線などによる外挿を行ってもよい。
【００３８】
図７は、本実施形態におけるデジタル放送受信機１０ａの動作を説明するフローチャートである。まず、受信部１１が、ｎフレーム目までの映像コンテンツのデータを含むデジタル放送（Ｄ（ｎ））を受信し、分離部１２が、受信したデジタル放送のＭＰＥＧ２トランスポートストリームに多重されているメタデータ（Ｍ（ｎ））と、映像コンテンツ（Ｄ（ｎ））とを分離する（Ｓ１）。受信メタデータ取得部１４は、分離部１２が分離したメタデータ（Ｍ（ｎ））とメタデータの再生時刻情報とをメタデータ保持部１５に書き込む（Ｓ２）。
【００３９】
次に再生メタデータ取得部１６が、次に表示するフレーム（ｎフレーム目）のメタデータ（Ｍ（ｎ））のメタデータ保持部１５からの取得を試行する（Ｓ３）。ステップＳ３において、取得に成功したときは（Ｓ４−はい）、ステップＳ５に遷移し、再生メタデータ取得部１６は、取得したメタデータを同期再生部１８に出力する。次に、同期再生部１８は、入力されたメタデータと、コンテンツ再生部１３が再生した結果とに基づき、再生映像を生成し（Ｓ８）、次のフレーム（ｎ＋１フレーム目）を処理するために、ｎに１を加算し（Ｓ９）、ステップＳ１に戻って処理を繰り返す。
【００４０】
一方、ステップＳ３において、取得に失敗したときは（Ｓ４−いいえ）、ステップＳ６に遷移し、メタデータ補間部１７が、メタデータ保持部１５が保持する複数の過去のメタデータ（例えば、Ｍ（ｎ−ｐ）とＭ（ｎ−ｑ））から、ｎフレーム目のメタデータ（Ｍ（ｎ））を外挿により生成する（Ｓ６）。次に、メタデータ補間部１７は、生成したメタデータ（Ｍ（ｎ））を同期再生部１８に出力し（Ｓ７）、続いてステップＳ８に遷移する。以降、上述のステップＳ８と同様の処理を行う。
【００４１】
このように、再生メタデータ取得部１６が、次に表示するフレームのメタデータのメタデータ保持部１５からの取得に失敗したときは、保持している過去のメタデータに基づき、メタデータ補間部１７が外挿を行うので、メタデータが、全て伝送されなかったときでも、メタデータを補間できる。
【００４２】
［第２の実施形態］
以下、図面を参照して、本発明の第２の実施形態について説明する。図８は、この発明の第２の実施形態によるデジタル放送受信機の構成を示す概略ブロック図である。本実施形態におけるデジタル放送受信機１０ａは、受信部１１、分離部１２、コンテンツ蓄積部２０ａ、コンテンツ再生部１３、受信メタデータ取得部１４、メタデータ保持部１５、再生メタデータ取得部１６、メタデータ補間部１７ａ、同期再生部１８、表示部１９を備える。図８において、図１の各部に対応する部分には同一の符号（１１〜１６、１８、１９）を付け、その説明を省略する。
【００４３】
コンテンツ蓄積部２０ａは、分離部１２が分離した映像コンテンツのエレメンタリストリームを記憶する。このように、コンテンツ蓄積部２０ａにて映像コンテンツのエレメンタリストリームをいったん蓄積することで、コンテンツ再生部１３による映像コンテンツの再生を、少なくとも１フレーム分は遅らせている。メタデータ補間部１７ａは、再生メタデータ取得部１６がメタデータ保持部１５からメタデータを取得できなかったときは、メタデータ保持部１５が保持する複数の再生時刻情報と、該再生時刻情報各々に対応するメタデータとに基づく内挿補間処理により、再生する映像コンテンツの再生時刻情報に対応するメタデータを算出する。なお、メタデータ補間部１７ａは、メタデータ補間部１７と同様に、再生メタデータ取得部１６から再生時刻情報とオブジェクトＩＤとの入力を受けると、入力されたオブジェクトＩＤのメタデータを、メタデータ保持部１５から取得できなかったと判定し、該オブジェクトＩＤのメタデータの補間処理を行う。
【００４４】
図９は、本実施形態におけるメタデータ補間部１７ａの構成を示す概略ブロック図である。メタデータ補間部１７ａは、使用メタデータリスト決定部１７１ａ、使用メタデータリスト読出部１７２、メタデータ補間処理部１７３ａを備える。使用メタデータリスト読出部１７２は、図６における使用メタデータリスト読出部１７２と同一であるので、説明を省略する。
【００４５】
使用メタデータリスト決定部１７１ａは、メタデータ読出部１６２から再生時刻情報と、オブジェクトＩＤとを受けると、メタデータ補間処理部１７３における補間処理に用いるメタデータのリストを生成する。本実施形態では、メタデータ補間処理部１７３は、内挿による補間処理を行う。このため、使用メタデータリスト決定部１７１ａは、映像コンテンツのフレームレートに基づき、受けた再生時刻情報の１フレーム前の再生時刻情報および１フレーム後の再生時刻情報を算出し、受けたオブジェクトＩＤ各々のこれらの再生時刻情報のメタデータの取得を、使用メタデータリスト読出部１７２に指示する。
【００４６】
メタデータ補間処理部１７３ａは、使用メタデータリスト読出部１７２が読み出したメタデータを用いて、（３）式に示すような内挿による補間処理を行い、メタデータ読出部１６２から受けた再生時刻情報とオブジェクトＩＤとのメタデータを生成する。
Ｍ（ｎ−ｒ）＝Ｍ（ｎ−ｒ＋１）＋Ｍ（ｎ−ｒ−１）/２・・・（３）
ただし、ｎフレーム目までの映像コンテンツを受信済であり、Ｍ（ｎ−ｒ）は、次に表示するｎ−ｒフレーム目のメタデータの値を表す。Ｍ（ｎ−ｒ−１）は、次に表示するｎ−ｒフレーム目の１フレーム前のメタデータの値であり、Ｍ（ｎ＋１）は、次に表示するｎ−ｒフレーム目の１フレーム後のメタデータの値である。
【００４７】
なお、本実施形態では、使用メタデータリスト決定部１７１ａが１フレーム前と１フレーム後のメタデータの取得を使用メタデータリスト取得部１７２に指示するため、メタデータ補間処理部１７３ａが行う内挿は、（３）式に示すような演算とした。しかし、これに限らず、使用メタデータリスト決定部１７１ａが、メタデータ保持部１５が記憶するメタデータを参照して、ｎ−ｐフレームとｎ−ｑフレーム（ｐ＞ｒ＞ｑ）のメタデータの取得を使用メタデータリスト取得部１７２に指示するようにし、メタデータ補間処理部１７３ａが行う内挿が、（４）式に示すような演算であってもよい。
Ｍ（ｎ−ｒ）＝（ｒ−ｐ）・Ｍ（ｎ−ｑ）＋（ｒ−ｑ）・Ｍ（ｎ−ｐ））／（ｑ−ｐ）・・・（４）
さらに、メタデータ補間処理部１７３ａが行う補間は、（３）式、（４）式に示すような線形内挿ではなく、例えば、使用メタデータリスト決定部１７１ａが３つのメタデータの取得を指示し、２次曲線などによる内挿を行ってもよい。
【００４８】
図１０は、本実施形態におけるデジタル受像装置１０ａの動作を説明するフローチャートである。まず、受信部１１が、ｎフレーム目までの映像コンテンツのデータを含むデジタル放送（Ｄ（ｎ））を受信し、分離部１２が、受信したデジタル放送ＭＰＥＧ２トランスポートストリームに多重されているメタデータと、映像コンテンツとを分離する（Ｓａ１）。分離部１２が、映像コンテンツをコンテンツ蓄積部２０ａに書き込む（Ｓａ２）。また、受信メタデータ取得部１４は、分離部１２が分離したメタデータとメタデータの再生時刻情報とをメタデータ保持部１５に書き込む（Ｓａ３）。
【００４９】
次に再生メタデータ取得部１６が、次に表示するフレーム（ｎ−ｒフレーム目）のメタデータ（Ｍ（ｎ−ｒ））のメタデータ保持部１５からの取得を試行する（Ｓ４）。ステップＳａ４において、取得に成功したときは（Ｓａ５−はい）、ステップＳａ６に遷移し、再生メタデータ取得部１６は、取得したメタデータを同期再生部１８に出力する。次に、コンテンツ蓄積部２０ａは、ｎ−ｒフレーム目までを含む映像コンテンツ（Ｄ（ｎ−ｒ））をコンテンツ再生部１３へ出力し（Ｓａ９）、コンテンツ再生部１３は、入力された映像コンテンツ（Ｄ（ｎ−ｒ））を再生する。同期再生部１８は、ステップＳａ６入力されたメタデータと、コンテンツ再生部１３が再生した結果とに基づき、再生映像を生成し（Ｓａ１０）、次のフレーム（ｎ＋１フレーム目）を処理するために、ｎに１を加算し（Ｓａ１１）、ステップＳａ１に戻って処理を繰り返す。
【００５０】
一方、ステップＳａ４において、取得に失敗したときは（Ｓａ５−いいえ）、ステップＳａ７に遷移し、メタデータ補間部１７ａが、メタデータ保持部１５が保持する複数の過去のメタデータ（例えば、Ｍ（ｎ−ｐ）とＭ（ｎ−ｑ））から、ｎ−ｒフレーム目のメタデータ（Ｍ（ｎ−ｒ））を内挿により生成する（Ｓａ７）。次に、メタデータ補間部１７ａは、生成したメタデータ（Ｍ（ｎ−ｒ））を同期再生部１８に出力し（Ｓａ８）、続いてステップＳａ９に遷移する。以降、上述のステップＳａ９と同様の処理を行う。
である。
【００５１】
このように、再生メタデータ取得部１６が、次に表示するフレームのメタデータのメタデータ保持部１５からの取得に失敗したときは、保持している過去のメタデータに基づき、メタデータ補間部１７ａが内挿を行うので、第１の実施形態と同様に、メタデータが、全て伝送されなかったときでも、メタデータを補間できる。
【００５２】
［第３の実施形態］
以下、図面を参照して、本発明の第３の実施形態について説明する。図１１は、この発明の第３の実施形態によるデジタル放送受信機１０ｂの構成を示す概略ブロック図である。本実施形態におけるデジタル放送受信機１０ｂは、受信部１１、分離部１２、コンテンツ再生部１３、映像蓄積部３０ｂ、受信メタデータ取得部１４、メタデータ保持部１５、再生メタデータ取得部１６、メタデータ補間部１７ｂ、同期再生部１８、表示部１９を備える。図１１において、図１の各部に対応する部分には同一の符号（１１〜１６、１８、１９）を付け、その説明を省略する。
【００５３】
映像蓄積部３０ｂは、コンテンツ再生部１３が再生した各フレームの映像データを蓄積する。メタデータ補間部１７ｂは、再生メタデータ取得部１６がメタデータ保持部１５からメタデータを取得できなかったときは、メタデータ保持部１５が保持する複数の再生時刻情報と該再生時刻情報各々に対応するメタデータとに基づく補間処理により算出された、再生する映像コンテンツの再生時刻情報に対応するメタデータと、再生する映像コンテンツによる映像データに対して特徴量抽出処理をすることで算出したメタデータとの平均を算出することで、再生する映像コンテンツの再生時刻情報に対応するメタデータを算出する。
【００５４】
図１２は、本実施形態におけるメタデータ補間部１７ｂの構成を示す概略ブロック図である。メタデータ補間部１７ｂは、使用メタデータリスト決定部１７１、使用メタデータリスト読出部１７２、メタデータ補間処理部１７３ｂ、映像解析部１７４ｂを具備する。図１２において、図６の各部に対応する部分には同一の符号（１７１、１７２）を付け、その説明を省略する。メタデータ補間部１７３ｂは、メタデータ補間部１７３と同様にして算出したメタデータの値と、映像解析部１７４ｂが算出したメタデータの値との平均をとった値を、メタデータとして同期再生部１８に出力する。
【００５５】
映像解析部１７４ｂは、メタデータ読出部１６２から再生時刻情報と、オブジェクトＩＤとを受けると、受けた再生時刻情報が表すフレームの１つ前のフレームの映像データとメタデータとを、それぞれ映像蓄積部３０ｂとメタデータ保持部１５とから読み出す。次に、メタデータ保持部１５から読み出したメタデータのうち、受けたオブジェクトＩＤに関するメタデータが示す領域であって、映像蓄積部３０ｂから読み出した映像データが表す映像中の領域の特徴量を算出する。ここで、特徴量とその抽出方法としては、輝度分散や、色情報など、「サッカー中継映像の画像特徴に基づくショット分類と選手位置検出を利用した簡易映像トリミング手法」（信学技報、ｖｏｌ．１０７、Ｎｏ．３５８、ｐｐ．１−６（２００７））などに記載されたものを用いることができる。
【００５６】
次に、映像解析部１７４ｂは、次に表示するフレームの映像データを、映像蓄積部３０ｂから取得し、該映像データが表す映像中から、先に算出した特徴量と一致する領域、あるいは、先に算出した特徴量との差が予め設定された範囲内となる領域を検出し、該領域の中心座標と幅と高さとをメタデータとして、メタデータ補間処理部１７３ｂに出力する。
【００５７】
このように、本実施形態では、第１の実施形態と同様な効果に加えて、メタデータ補間部１７ｂは、保持している過去のメタデータから補間処理により算出したメタデータの値と、対象としているフレームの映像を解析して算出したメタデータの値とに基づき、メタデータを生成するので、補間処理結果が実際のオブジェクトと大きく異なるときでも、メタデータの誤差を抑えることができる。
【００５８】
なお、第１から第３の実施形態において、デジタル放送受信機１０、１０ａ、１０ｂは、表示部１９を備えるものとして説明したが、デジタル放送受信機１０、１０ａ、１０ｂは、表示部１９を備えず、同期再生部１８は、生成した再生映像の信号を外部に出力し、デジタル放送受信機１０、１０ａ、１０ｂに接続された表示装置が、該信号を受けて再生映像を表示するようにしてもよい。
【００５９】
また、図１における分離部１２、コンテンツ再生部１８、受信メタデータ部１４、再生メタデータ取得部１６、メタデータ補間部１７、同期再生部１８、および図８における分離部１２、コンテンツ再生部１３、受信メタデータ取得部１４、再生メタデータ取得部１６、メタデータ補間部１７ａ、同期再生部１８、および図１１における分離部１２、コンテンツ再生部１８、受信メタデータ部１４、再生メタデータ取得部１６、メタデータ補間部１７ｂ、同期再生部１８の機能を実現するためのプログラムをコンピュータ読み取り可能な記録媒体に記録して、この記録媒体に記録されたプログラムをコンピュータシステムに読み込ませ、実行することにより各部の処理を行ってもよいし、これらの各部を、専用のハードウェアにより実現されるものであってもよい。なお、ここでいう「コンピュータシステム」とは、ＯＳや周辺機器等のハードウェアを含むものとする。
【００６０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６１】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００６２】
本発明は、デジタルテレビジョン放送を受信し、表示するデジタル放送受信機に用いて好適であるが、これに限定されない。
【符号の説明】
【００６３】
１０、１０ａ、１０ｂ…デジタル放送受信機
１１…受信部
１２…分離部
１３…コンテンツ再生部
１４…受信メタデータ取得部
１５…メタデータ保持部
１６…再生メタデータ取得部
１７、１７ａ、１７ｂ…メタデータ補間部
１８…同期再生部
１９…表示部
２０ａ…コンテンツ蓄積部
３０b…映像蓄積部
【図１】
2010193209.tif 000003
【図２】
2010193209.tif 000004
【図３】
2010193209.tif 000005
【図４】
2010193209.tif 000006
【図５】
2010193209.tif 000007
【図６】
2010193209.tif 000008
【図７】
2010193209.tif 000009
【図８】
2010193209.tif 000010
【図９】
2010193209.tif 000011
【図１０】
2010193209.tif 000012
【図１１】
2010193209.tif 000013
【図１２】
2010193209.tif 000014